(57)【要約】【課題】より快適にコンテンツを視聴できる環境を実現する。【解決手段】第１外部機器と接続される制御装置は、選択部と、生成部と、通信部と、を備える。選択部は、第１外部機器で再生するコンテンツを選択する。生成部は、少なくとも第１外部機器におけるコンテンツの再生に関する性能に基づいて、コンテンツから再生データを生成する。通信部は、第１外部機器に再生データを送信する。【選択図】図２
2018148294.tif 000002
【特許請求の範囲】
【請求項１】
第１外部機器と接続される制御装置であって、
前記第１外部機器で再生するコンテンツを選択する選択部と、
少なくとも前記第１外部機器における前記コンテンツの再生に関する性能に基づいて、前記コンテンツから再生データを生成する生成部と、
前記第１外部機器に前記再生データを送信する通信部と、
を備える制御装置。
【請求項２】
前記選択部はさらに、前記第１外部機器を選択する請求項１に記載の制御装置。
【請求項３】
前記選択部が複数の前記第１外部機器を選択する場合、
前記生成部は、各々の前記第１外部機器に送信する前記再生データを前記第１外部機器毎に生成し、
前記通信部は、前記第１外部機器毎に生成された前記再生データを各々の前記第１外部機器に送信する請求項２に記載の制御装置。
【請求項４】
前記コンテンツが複数種類の音声データを含み、複数の前記第１外部機器で前記コンテンツを再生する場合、
前記選択部はさらに、各々の前記第１外部機器に送信する前記音声データを選択する請求項１〜請求項３のいずれかに記載の制御装置。
【請求項５】
入力を受け付ける入力部をさらに備え、
前記生成部は、さらに前記入力部が受け付けた入力に基づいて、前記再生データを生成する請求項１〜請求項４のいずれかに記載の制御装置。
【請求項６】
前記入力部が受け付けた入力に基づいて前記第１外部機器を選択する選択画面を表示部に表示する表示制御部をさらに備える請求項５に記載の制御装置。
【請求項７】
前記表示制御部は、前記第１外部機器と自装置との接続に基づいて、前記選択画面を前記表示部に表示し、
前記選択部は、前記選択画面にて前記入力部が受け付ける入力に基づいて、前記第１外部機器を選択する請求項６に記載の制御装置。
【請求項８】
前記制御装置から前記第１外部機器への前記再生データの送信に基づいて、
前記表示制御部は、前記選択画面を前記表示部に表示し、
前記選択部は、前記選択画面にて前記入力部が受け付ける入力に基づいて、前記再生データを送信する前記第１外部機器を選択する請求項６又は請求項７に記載の制御装置。
【請求項９】
前記コンテンツの再生開始を前記第１外部機器に指令した後に前記入力部が前記第１外部機器を示す入力を受け付けた場合、
前記選択部は、前記入力部が受け付けた入力に基づいて、前記コンテンツを再生する前記第１外部機器を再選択する請求項５〜請求項８のいずれかに記載の制御装置。
【請求項１０】
前記生成部は、少なくとも前記コンテンツの音声を再生する前記第１外部機器の前記性能に応じた前記再生データの生成条件に基づいて前記再生データを生成し、
前記生成条件は、前記コンテンツの音声が再生される時のダイナミックレンジ、単位時間当たりに再生されるデータ量であるビットレート、及びデータフォーマットのうちの少なくともいずれかを含む請求項１〜請求項９のいずれかに記載の制御装置。
【請求項１１】
前記生成部は、少なくとも前記コンテンツの映像を再生する前記第１外部機器の前記性能に応じた前記再生データの生成条件に基づいて前記再生データを生成し、
前記生成条件は、前記コンテンツの映像が再生される時の表示サイズ、解像度、単位時間当たりに再生されるデータ量であるビットレート、及びデータフォーマットのうちの少なくともいずれかを含む請求項１〜請求項１０のいずれかに記載の制御装置。
【請求項１２】
前記選択部で選択される前記コンテンツを記憶する記憶部をさらに備える請求項１〜請求項１１のいずれかに記載の制御装置。
【請求項１３】
前記コンテンツを有する第２外部機器とさらに接続される制御装置であって、
前記選択部はさらに、前記第２外部機器が送信可能な前記コンテンツを選択し、
前記記憶部は、前記第２外部機器から送信された前記コンテンツを記憶する請求項１２に記載の制御装置。
【請求項１４】
前記第２外部機器が有する前記コンテンツを選択する外部制御装置とさらに接続され、
前記外部制御装置により、前記第２外部機器から前記コンテンツが送信される機器として選択される請求項１３に記載の制御装置。
【請求項１５】
前記通信部は、前記再生データを生成する条件を示す生成条件情報を前記外部制御装置から受信し、
前記生成部は、さらに前記生成条件情報に基づいて前記再生データを生成する請求項１４に記載の制御装置。
【発明の詳細な説明】
【技術分野】
【０００１】
本発明は、制御装置に関する。
【背景技術】
【０００２】
近年、家庭内のネットワーク環境はますます充実しつつある。ユーザは、ネットワークを利用して様々なコンテンツを楽しむことができるようになった。たとえば、レコーダで録画したコンテンツをスマートフォン、タブレット端末などに配信して視聴することができる。このような技術を実現するためのプロトコルとして、ＤＬＮＡ（Digital Living Network Alliance：登録商標）がある。
【０００３】
ＤＬＮＡ（登録商標）を用いたシステムでは、たとえば特許文献１に開示されるような３Ｂｏｘ  Ｓｙｓｔｅｍ、及び２Ｂｏｘ  Ｐｕｌｌ  Ｓｙｓｔｅｍが知られている。３Ｂｏｘ  Ｓｙｓｔｅｍは、ＤＭＳ（Digital Media Server）として機能する記録端末と、ＤＭＣ（Digital Media Controller）として機能する制御端末と、ＤＭＲ（Digital Media Renderer）として機能する再生端末と、で構成される。また、２Ｂｏｘ  Ｐｕｌｌ  Ｓｙｓｔｅｍは、ＤＭＳとして機能する記録端末と、ＤＭＰ（Digital Media Player）として機能する再生端末と、で構成される。ＤＭＳは、コンテンツの保持及び配信を行う。ＤＭＣは、コンテンツ及びその再生機器を選択する。ＤＭＲ及びＤＭＰは、コンテンツの再生機器として機能する。
【先行技術文献】
【特許文献】
【０００４】
【特許文献１】特開２００９−２５３８８９号公報
【発明の概要】
【発明が解決しようとする課題】
【０００５】
しかしながら、ＤＬＮＡを用いたシステムに準拠した構成でコンテンツを視聴する際、ＤＭＲ又はＤＭＰの性能などにより、ユーザが望む品質及び環境でコンテンツを視聴できないことがある。たとえば、タブレット端末などのＤＭＲでコンテンツを視聴する際、表示される映像に不満はないが、同じＤＭＲから出力される音声の音質、音量に不十分であることがある。特許文献１は、このような問題について言及していない。
【０００６】
本発明は、このような状況を鑑みてなされたものであり、より快適にコンテンツを視聴できる環境を実現することができる制御装置を提供することを目的とする。
【課題を解決するための手段】
【０００７】
上記目的を達成するために、本発明の一の態様による制御装置は、第１外部機器と接続される制御装置であって、第１外部機器で再生するコンテンツを選択する選択部と、少なくとも第１外部機器におけるコンテンツの再生に関する性能に基づいて、コンテンツから再生データを生成する生成部と、第１外部機器に再生データを送信する通信部と、を備える構成（第１の構成）とされる。
【０００８】
上記第１の構成によれば、制御機器で選択されたコンテンツが、少なくとも第１外部機器におけるコンテンツの再生に関する性能に基づいて生成され、制御機器で選択された第１外部機器に送信される。したがって、制御機器は、第１外部機器におけるコンテンツの再生に関する性能に適した再生データを生成して該第１外部機器に送信できる。第１外部機器は、自身の性能に適した条件でコンテンツを再生できる。よって、視聴者がより快適にコンテンツを視聴できる環境を実現できる。
【０００９】
また、制御装置を、コンテンツを有して第１外部機器に送信するサーバ装置として機能させることができるとともに、第１外部機器のコントローラとしても機能させることができる。たとえば、ＤＬＮＡ（Digital Living Network Alliance：登録商標）が規定するネットワークを介した情報装置の相互接続のプロトコルにおいて、制御装置を第１外部機器に対するＤＭＳ（Digital Media Server）及びＤＭＣ（Digital Media Controller）として機能させることができる。
【００１０】
上記第１の構成の制御装置において、選択部はさらに、第１外部機器を選択する構成（第２の構成）としてもよい。
【００１１】
第２の構成によれば、コンテンツを再生する機器を選択できる。
【００１２】
上記第２の構成の制御装置において、選択部が複数の第１外部機器を選択する場合、生成部は、各々の第１外部機器に送信する再生データを第１外部機器毎に生成し、通信部は、第１外部機器毎に生成された再生データを各々の第１外部機器に送信する構成（第３の構成）としてもよい。
【００１３】
第３の構成によれば、選択されたコンテンツに基づく再生データを複数の第１外部機器に送信する場合、再生データを第１外部機器毎に生成できる。たとえば、複数の第１外部機器が音声再生機器と映像再生機器とを含む場合、音声再生機器には音声データを送信できる。音声再生機器は、自身の音声再生に関する性能に適した条件でコンテンツの音声を再生できる。また、映像再生機器にはコンテンツの映像データを送信できる。映像再生機器は、自身の映像再生に関する性能に適した条件でコンテンツの映像を再生できる。よって、視聴者は、より快適にコンテンツを視聴できる。
【００１４】
上記第１〜第３のいずれかの構成の制御装置において、コンテンツが複数種類の音声データを含み、複数の第１外部機器でコンテンツを再生する場合、選択部はさらに、各々の第１外部機器に送信する音声データを選択する構成（第４の構成）としてもよい。
【００１５】
第４の構成によれば、コンテンツから複数種類の音声データを分離して生成できる。視聴者は、コンテンツを複数の第１外部機器で再生できる。たとえば、コンテンツが主音声データと副音声データとを含む多重音声コンテンツである場合、主音声データ及び副音声データを各々の第１外部機器に送信して再生させることができる。
【００１６】
上記第１〜第４のいずれかの構成の制御装置において、入力を受け付ける入力部をさらに備え、生成部は、さらに入力部が受け付けた入力に基づいて、再生データを生成する構成（第５の構成）としてもよい。
【００１７】
第５の構成によれば、視聴者は、コンテンツから再生データを生成する条件などを入力部に入力できる。たとえば、視聴者は、音声データを生成する条件として、音声再生機器で再生されるコンテンツの音声出力のダイナミックレンジ、及びビットレート（単位時間当たりに再生されるデータ量）などを入力できる。音声再生機器に送信される音声データは、音声再生機器の音声再生に関する性能に加えてさらに、上述の条件に基づいて生成される。また、視聴者は、映像データを生成する条件として、映像再生機器で再生されるコンテンツの映像出力の表示サイズ、解像度、及びビットレート（単位時間当たりに再生されるデータ量）などを入力できる。映像再生機器に送信される映像データは、映像再生機器の映像再生に関する性能に加えてさらに、上述の条件に基づいて生成される。従って、視聴者は、所望の視聴環境でコンテンツを視聴できる。
【００１８】
上記第５の構成の制御装置において、入力部が受け付けた入力に基づいて第１外部機器を選択する選択画面を表示部に表示する表示制御部をさらに備える構成（第６の構成）としてもよい。
【００１９】
第６の構成によれば、視聴者は、表示されたＯＳＤ（On Screen Display）で第１外部機器を選択できる。
【００２０】
上記第６の構成の制御装置において、表示制御部は、第１外部機器と自装置との接続に基づいて、選択画面を表示部に表示し、選択部は、選択画面にて入力部が受け付ける入力に基づいて、第１外部機器を選択する構成（第７の構成）としてもよい。
【００２１】
第７の構成によれば、第１外部機器と自装置との接続に基づいて、コンテンツを再生する第１外部機器を予め選択しておくことができる。
【００２２】
上記第６又は第７の構成の制御装置において、制御装置から第１外部機器への再生データの送信に基づいて、表示制御部は、選択画面を表示部に表示し、選択部は、選択画面にて入力部が受け付ける入力に基づいて、再生データを送信する第１外部機器を選択する構成（第８の構成）としてもよい。
【００２３】
第８の構成によれば、視聴者は、制御装置から第１外部機器への再生データの送信に基づいて、所望の第１外部機器で再生できる。
【００２４】
上記第５〜第８のうちのいずれかの構成の制御装置において、コンテンツの再生開始を第１外部機器に指令した後に入力部が第１外部機器を示す入力を受け付けた場合、選択部は、入力部が受け付けた入力に基づいて、コンテンツを再生する第１外部機器を再選択する構成（第９の構成）としてもよい。
【００２５】
第９の構成によれば、視聴者は、コンテンツの再生が開始された後であっても、コンテンツを再生する第１外部機器を再選択できる。
【００２６】
上記第１〜第９のうちのいずれかの構成の制御装置において、生成部は、少なくともコンテンツの音声を再生する第１外部機器の性能に応じた再生データの生成条件に基づいて再生データを生成し、生成条件は、コンテンツの音声が再生される時のダイナミックレンジ、単位時間当たりに再生されるデータ量であるビットレート、及びデータフォーマットのうちの少なくともいずれかを含む構成（第１０の構成）としてもよい。
【００２７】
第１０の構成によれば、制御機器は、コンテンツの音声を再生する第１外部機器の音声再生に関する性能に適した生成条件で再生データを生成できる。従って、より快適な音声出力を視聴者に提供できる。
【００２８】
上記第１〜第１０のうちのいずれかの構成の制御装置において、生成部は、少なくともコンテンツの映像を再生する第１外部機器の性能に応じた再生データの生成条件に基づいて再生データを生成し、生成条件は、コンテンツの映像が再生される時の表示サイズ、解像度、単位時間当たりに再生されるデータ量であるビットレート、及びデータフォーマットのうちの少なくともいずれかを含む構成（第１１の構成）としてもよい。
【００２９】
第１０の構成によれば、制御機器は、コンテンツの映像を再生する第１外部機器の映像再生に関する性能に適した生成条件で再生データを生成できる。従って、より快適な映像出力を視聴者に提供できる。
【００３０】
上記第１〜第１１のうちのいずれかの構成の制御装置において、選択部で選択されるコンテンツを記憶する記憶部をさらに備える構成（第１１の構成）としてもよい。
【００３１】
第１２の構成によれば、記憶部に記憶されたコンテンツを第１外部機器に送信できる。
【００３２】
上記第１２の構成の制御装置において、コンテンツを有する第２外部機器とさらに接続される制御装置であって、選択部はさらに、第２外部機器が送信可能なコンテンツを選択し、記憶部は、第２外部機器から送信されたコンテンツを記憶する構成（第１３の構成）としてもよい。
【００３３】
第１３の構成によれば、制御装置は第１外部機器で再生するコンテンツを第２外部機器から受信できる。また、たとえば、ＤＬＮＡが規定するネットワークを介した情報装置の相互接続のプロトコルにおいて、第２外部機器を制御装置に対するＤＭＳ（Digital Media Server）として機能させることができ、制御装置を第２外部機器に対するＤＭＲ（Digital Media Render）又はＤＭＰ（Digital Media Player）として機能させることができる。
【００３４】
上記第１３の構成の制御装置において、第２外部機器が有するコンテンツを選択する外部制御装置とさらに接続され、外部制御装置により、第２外部機器からコンテンツが送信される機器として選択される構成（第１４の構成）としてもよい。
【００３５】
第１４の構成によれば、外部制御装置で選択されたコンテンツが第２外部機器から制御装置に送信される。制御装置は、送信されたコンテンツの再生データを生成して、第１外部機器に送信できる。また、たとえば、ＤＬＮＡが規定するネットワークを介した情報装置の相互接続のプロトコルにおいて、外部制御装置を制御装置に対するＤＭＣ（Digital Media Controller）として機能させることができ、制御装置を外部制御装置に対するＤＭＲ（Digital Media Renderer）として機能させることができる。
【００３６】
上記第１４の構成の制御装置において、通信部は、再生データを生成する条件を示す生成条件情報を外部制御装置から受信し、生成部は、さらに生成条件情報に基づいて再生データを生成する構成（第１５の構成）としてもよい。
【００３７】
第１５の構成によれば、再生データを生成する条件を外部制御装置で設定できる。
【発明の効果】
【００３８】
本発明によれば、より快適にコンテンツを視聴できる環境を実現することができる。
【図面の簡単な説明】
【００３９】
【図１】第１実施形態に係るＤＬＮＡ接続システムの概念図である。
【図２】第１実施形態に係るＤＬＮＡ接続システムの構成例を示すブロック図である。
【図３】第１実施形態における再生機器及び再生データの選択画面の一例である。
【図４】第１実施形態に係るＤＬＮＡ接続システムでの音声再生動作を説明するためのシーケンス図である。
【図５】第２実施形態に係るＤＬＮＡ接続システムの概念図である。
【図６】第２実施形態に係るＤＬＮＡ接続システムの構成例を示すブロック図である。
【図７】第２実施形態に係るＤＬＮＡ接続システムでの音声再生動作を説明するためのシーケンス図である。
【図８】第３実施形態に係るＤＬＮＡ接続システムの概念図である。
【図９】第３実施形態に係るＤＬＮＡ接続システムの構成例を示すブロック図である。
【図１０】第３実施形態における再生機器及び再生データの選択画面の一例である。
【図１１】第３実施形態に係るＤＬＮＡ接続システムでの再生動作を説明するためのシーケンス図である。
【図１２】第４実施形態に係るＤＬＮＡ接続システムの概念図である。
【図１３】第４実施形態に係るＤＬＮＡ接続システムの構成例を示すブロック図である。
【図１４】第４実施形態における再生機器及び再生データの選択画面の一例である。
【図１５】第４実施形態に係るＤＬＮＡ接続システムでの再生動作を説明するためのシーケンス図である。
【発明を実施するための形態】
【００４０】
以下に、図面を参照して、本発明の実施形態を説明する。
【００４１】
＜第１実施形態＞
ＤＬＮＡ接続システムは、無線手段又は有線手段によるネットワークＮＴを介して接続された複数の装置がＤＬＮＡ（Digital Living Network Alliance）規格に準拠する通信プロトコルを用いて互いに通信を行う通信システムである。図１は、第１実施形態に係るＤＬＮＡ接続システムの概念図である。図２は、第１実施形態に係るＤＬＮＡ接続システムの構成例を示すブロック図である。ＤＬＮＡ接続システムは、液晶テレビジョン装置１００ａと、スピーカ装置２１０を有する再生機器２００と、を含んで構成されている。液晶テレビジョン装置１００ａ及び再生機器２００は、たとえば無線ＬＡＮ、有線ＬＡＮなどのネットワークＮＴに接続されている。
【００４２】
液晶テレビジョン装置１００ａは、ＤＬＮＡ規格に適合した制御装置であり、ネットワークＮＴを介して再生機器２００と接続されている。液晶テレビジョン装置１００ａは、再生機器２００に対してＤＭＣ（Digital Media Controller）装置として機能し、再生機器２００を制御する。液晶テレビジョン装置１００ａはＤＭＣ機能により、コンテンツ（動画コンテンツ、音声コンテンツなど）を選択し、再生機器２００のうちのスピーカ装置２１０を選択して、選択したコンテンツの音声をスピーカ装置２１０で再生する。また、液晶テレビジョン装置１００ａは、スピーカ装置２１０での再生開始、停止、早送りなどの再生動作を制御する。
【００４３】
また、液晶テレビジョン装置１００ａは、再生機器２００に対してＤＭＳ（Digital Media Server）装置としても機能する。液晶テレビジョン装置１００ａはＤＭＳ機能により制御コマンド（指令）をスピーカ装置２１０に送信し、ＤＭＣ機能で選択したコンテンツをスピーカ装置２１０に送信する。
【００４４】
再生機器２００は、液晶テレビジョン装置１００ａに対してＤＭＲ（Digital Media Render）装置として機能する機器を有して構成される外部機器であり、図１では少なくともスピーカ装置２１０を有する。スピーカ装置２１０は、液晶テレビジョン装置１００ａのコマンドに基づいて、コンテンツを再生する音声再生機器である。コマンド及び音声データは、液晶テレビジョン装置１００ａからネットワークＮＴを介して送信される。なお、再生機器２００が有する機器の数は、図１のＤＬＮＡ接続システムでは１台であるが、この例示に限定されず、複数台であってもよい。また、再生機器２００は、図１の例示に限定されず、音声再生機器以外の機器（たとえば映像再生機器）を有していてもよい。
【００４５】
次に、液晶テレビジョン装置１００ａの構成を説明する。液晶テレビジョン装置１００ａは、図２に示すように、チューナ１１と、入力部１２と、記憶部１３と、制御部１４と、デマルチプレクサ１５と、デコーダ１６と、ディスプレイ１６ａと、トランスコーダ１７と、通信Ｉ／Ｆ１８と、を備える。
【００４６】
チューナ１１は、アンテナ１１ａで受信した放送信号から所望の物理チャンネルで放送コンテンツを選局し、選局した放送コンテンツを含む信号を制御部１４に出力する。放送信号は、たとえば、地上デジタル放送信号、ＢＳデジタル放送信号、ＣＳデジタル放送信号である。
【００４７】
入力部１２は、ユーザの操作入力を受け付ける入力ユニットである。また、入力部１２は、リモートコントロール装置（不図示）から出力される入力信号を受信することもできる。入力部１２は、受け付けた操作入力に基づく入力信号、及び受信した入力信号を制御部１４へ出力する。制御部１４では、入力信号に応じた制御動作が行われる。入力部１２は、たとえば、後述するように制御部１４でコンテンツから生成される再生データを生成する条件（たとえば音声データのダイナミックレンジ、ビットレート、及びデータフォーマットなど）の入力を受け付けることができる。
【００４８】
記憶部１３は、不揮発性の記憶媒体であり、液晶テレビジョン装置１００ａの各構成要素により用いられるプログラム及び制御情報などを非一時的に格納している。また、記憶部１３は、液晶テレビジョン装置１００ａ自身、又は再生機器２００で再生するコンテンツを記憶する。そのため、液晶テレビジョン装置１００ａは、コンテンツのサーバ装置として機能し、特に再生機器２００に対してＤＭＣ装置として機能する。たとえば、記憶部１３は、チューナ１１で選局された放送コンテンツ、及び、通信Ｉ／Ｆ１８でネットワークＮＴを介して取得したコンテンツを記憶する。
【００４９】
このほか、記憶部１３は、液晶テレビジョン装置１００ａとＤＬＮＡ接続された再生機器２００に関する情報（たとえば、各再生機器におけるコンテンツの再生に関する性能など）をも記憶している。たとえば、記憶部１３は、スピーカ装置２１０におけるコンテンツの音声再生に関する性能として、スピーカ装置２１０が搭載する後述の音声出力部２１３の数、音声出力部２１３の出力音圧レベル、出力可能な周波数帯域、再生可能な音声データの形式（所謂フォーマット）などを記憶している。なお、再生機器２００が液晶ディスプレイのような映像再生機器を有する場合、映像再生機器におけるコンテンツの映像再生に関する性能として、表示画面のサイズ、画素数、フレームレート、単位時間に表示画面の書き換え回数を示すリフレッシュレート、再生可能な映像データの形式（所謂フォーマット）などを記憶する。なお、このような情報は、たとえば、再生機器２００が液晶テレビジョン装置１００ａにＤＬＮＡ接続される際に取得される。
【００５０】
制御部１４は、記憶部１３に格納されたプログラム及び制御情報などを用いて、液晶テレビジョン装置１００ａの各構成部を制御する。制御部１４は、図２に示すように、復調部１４１と、選択部１４２と、生成部１４３と、表示制御部１４４と、を有する。
【００５１】
復調部１４１は、チューナ１１で選局された信号に対してデジタル復調及び誤り訂正などの処理を行い、放送コンテンツを生成する。生成した放送コンテンツは、記憶部１３に一旦記憶される。
【００５２】
選択部１４２は、入力部１２が受け付ける入力に基づいて、記憶部１３に記憶されたコンテンツの中からスピーカ装置２１０で再生するコンテンツを選択するとともに、選択したコンテンツの再生データ（たとえば音声データ、映像データ）を送信する機器を再生機器２００の中から１台又は複数台選択する。さらに、選択部１４２は、入力部１２が受け付ける入力に基づいて、再生機器２００の中から選択した各機器に送信する再生データをそれぞれ選択する。
【００５３】
次に、生成部１４３は、デマルチプレクサ１５及びトランスコーダ１７を制御し、少なくとも選択部１４２が選択した再生機器２００におけるコンテンツの再生に関する性能に基づいて、選択部１４２が選択したコンテンツから、選択部１４２が選択した再生データを生成する。また、生成部１４３は、選択部１４２が再生機器２００のうちの複数の機器を選択する場合、各々の機器に送信する再生データを、選択した機器毎に生成する。
【００５４】
たとえば、生成部１４３は、少なくともスピーカ装置２１０におけるコンテンツの再生に関する性能に応じた音声データの生成条件を設定する。そして、生成部１４３は、選択部１４２で選択されたコンテンツをデマルチプレクサ１５及びトランスコーダ１７のうちの少なくともいずれかに出力して音声データを生成条件に基づいて生成する。また、生成部１４３は、音声データを生成する条件の入力を入力部１２が受け付けた場合、スピーカ装置２１０の性能と入力部１２が受け付けた条件とに応じた音声データの生成条件を設定して、該生成条件に基づいて音声データを生成する。音声データの生成条件は、たとえば、再生時のダイナミックレンジ、単位時間当たりに再生されるデータ量であるビットレート、及びデータフォーマットなどである。こうすれば、スピーカ装置２１０は、自身の性能に適した条件でコンテンツの音声を再生できる。
【００５５】
表示制御部１４４は、ディスプレイ１６ａを制御する。表示制御部１４４は、たとえば、スピーカ装置２１０、及び該スピーカ装置２１０に送信する音声データの選択に用いる選択画面ＳＣをＯＳＤ（On Screen Display）でディスプレイ１６ａに表示する。なお、選択画面ＳＣについては後に説明する。
【００５６】
デマルチプレクサ１５は、制御部１４から出力されたコンテンツのデータを映像データ、音声データ、コンテンツ情報などに分離する。デマルチプレクサ１５は、生成部１４３の制御に応じて、分離したデータをデコーダ１６、トランスコーダ１７、及び通信Ｉ／Ｆ１８の少なくともいずれかに出力する。
【００５７】
デコーダ１６は、制御部１４から出力されたコンテンツデータ、及びデマルチプレクサ１５から出力された映像データをデコードしてディスプレイ１６ａに出力する。
【００５８】
ディスプレイ１６ａは、表示部であり、デコーダ１６から出力された映像データに基づく表示を行う。
【００５９】
トランスコーダ１７は、制御部１４から出力されたコンテンツのデータ、及びデマルチプレクサ１５から出力された音声データを生成部１４３の制御に応じてデコードして通信Ｉ／Ｆ１８に出力する。トランスコーダ１７は、所定の変換処理を施すことにより、たとえば音声データのビットレート及びデータサイズなどを変更できる。
【００６０】
通信Ｉ／Ｆ１８は、ネットワークＮＴに接続された通信部であり、ネットワークＮＴを介して再生機器２００（特にスピーカ装置２１０）と通信する。たとえば、通信Ｉ／Ｆ１８は、制御部１４から出力される情報（スピーカ装置２１０に送信するコマンドなど）、デマルチプレクサ１５及びトランスコーダ１７から出力される音声データをネットワークＮＴを介してスピーカ装置２１０に送信する。また、通信Ｉ／Ｆ１８は、スピーカ装置２１０から出力される情報（音声データの取得を要求する旨のコマンドなど）を受信して、制御部１４に出力する。なお、通信Ｉ／Ｆ１８は、制御部１４の選択部１４２が再生機器２００のうちの複数の機器を選択する場合、選択された機器毎に生成部１４３で生成された再生データを、各々の機器に送信する。
【００６１】
次に、スピーカ装置２１０の構成を説明する。スピーカ装置２１０は、ＤＬＮＡ規格に適合した音声再生機器であり、図２に示すように、制御部２１１と、通信Ｉ／Ｆ２１２と、音声出力部２１３と、を備える。制御部２１１は、非一過性の記憶媒体（不図示）に格納されたプログラム及び制御情報などを用いて、スピーカ装置２１０の各構成部を制御する。通信Ｉ／Ｆ２１２は、ネットワークＮＴに接続された通信部である。音声出力部２１３は、液晶テレビジョン装置１００ａからネットワークＮＴを通じて受信するコマンドに基づいて、液晶テレビジョン装置１００ａから送信された音声データに基づく音声出力を行う。
【００６２】
（コンテンツの再生データ及び再生機器の選択）
次に、選択画面ＳＣを用いて、コンテンツから生成された再生データ、及び該再生データの送信先とする機器を選択する処理を説明する。図３は、第１実施形態における再生機器及び再生データの選択画面ＳＣの一例である。選択画面ＳＣには、図３に示すように、機器選択欄ＳＣ１と、映像出力選択欄ＳＣ２と、音声出力選択欄ＳＣ３と、が表示される。選択画面ＳＣにおいて、入力部１２が受け付けた入力に基づいて、再生機器２００と該再生機器２００に送信する再生データとが選択される。
【００６３】
機器選択欄ＳＣ１は、再生機器２００のうちからコンテンツの再生を行う機器を選択するための表示である。なお、図３では、液晶テレビジョン装置１００ａにＤＬＮＡ接続されたスピーカ装置２１０が表示されている。なお、再生機器２００がスピーカ装置２１０以外の機器を有する場合、その機器も機器選択欄ＳＣ１に一覧表示される。視聴者は、入力部１２の操作入力によりカーソル表示ＳＣ１ａを移動させて、所望の機器を選択できる。
【００６４】
映像出力選択欄ＳＣ２及び音声出力選択欄ＳＣ３は、機器選択欄ＳＣ１で選択した機器に送信する再生データを選択するための表示である。映像出力選択欄ＳＣ２は、機器選択欄ＳＣ１で選択した機器に映像データを送信するか否かを選択するための表示である。視聴者は、入力部１２の操作入力により、映像データを送信するか否かを選択できる。入力部１２の操作入力により映像データの送信が選択された場合、たとえば、映像出力選択欄ＳＣ２の文字及び背景色が強調表示される。なお、機器選択欄ＳＣ１で選択した機器がコンテンツの映像を再生できない場合、入力部１２の操作入力による選択は無効とされ、映像出力選択欄ＳＣ２の文字が白抜き表示されたり背景色が表示されなくなったりする。或いは、映像出力選択欄ＳＣ２が表示されなくなってもよい。
【００６５】
また、音声出力選択欄ＳＣ３は、機器選択欄ＳＣ１で選択した機器で音声データを送信するか否かを選択するための表示である。視聴者は、入力部１２の操作入力により、音声データを送信するか否かを選択できる。入力部１２の操作入力により音声データの送信が選択された場合、たとえば、音声出力選択欄ＳＣ３の文字及び背景色が強調表示される。なお、機器選択欄ＳＣ１で選択した機器がコンテンツの音声を再生できない場合、入力部１２の操作入力による選択は無効とされ、音声出力選択欄ＳＣ３の文字が白抜き表示されたり背景色が表示されなくなったりする。或いは、音声出力選択欄ＳＣ３が表示されなくなってもよい。
【００６６】
なお、選択画面ＳＣを用いた上記の選択は、たとえば、スピーカ装置２１０が液晶テレビジョン装置１００ａとＤＬＮＡ接続される際に実施できる。この際、表示制御部１４４は、スピーカ装置２１０と液晶テレビジョン装置１００ａとの接続に基づいて、選択画面ＳＣをディスプレイ１６ａに表示する。選択部１４２は、選択画面ＳＣにて入力部１２が受け付ける入力に基づいて、スピーカ装置２１０とスピーカ装置２１０に送信する音声データとを選択する。こうすれば、スピーカ装置２１０と該スピーカ装置２１０に送信する音声データとを予め選択しておくことができる。
【００６７】
また、選択画面ＳＣを用いた上記の選択は、コンテンツが選択される際に実施することもできる。たとえば、コンテンツが主音声データ及び副音声データを含む多重音声コンテンツである場合、音声出力選択欄ＳＣ３には、主音声出力の選択欄と、副音声出力の選択欄と、が表示される。機器選択欄ＳＣ１にて、スピーカ装置２１０を選択した後、音声出力選択欄ＳＣ３にて主音声出力又は副音声出力を選択できる。こうすれば、コンテンツが選択される際に、スピーカ装置２１０で出力する音声データを予め選択しておくことができる。
【００６８】
また、選択画面ＳＣを用いた上記の選択は、液晶テレビジョン装置１００ａがスピーカ装置２１０に音声データを送信する際に実施することもできる。この際、液晶テレビジョン装置１００ａからスピーカ装置２１０に再生を開始する旨のコマンドが送信される前に、液晶テレビジョン装置１００ａからスピーカ装置２１０への音声データの送信に基づいて、ディスプレイ１６ａに選択画面ＳＣが表示される。視聴者の入力を入力部１２が受け付けると、この入力に基づいて、選択画面ＳＣで選択したスピーカ装置２１０が音声データを送信する機器として選択される。こうすれば、視聴者は、再生を開始するコンテンツの音声データを所望のスピーカ装置２１０に送信できる。
【００６９】
また、選択画面ＳＣを用いた上記の選択は、コンテンツの再生開始をスピーカ装置２１０に指令した後に入力部１２が所定の入力を受け付けた場合に実施することもできる。たとえば、受け付けられた入力がスピーカ装置２１０で再生するコンテンツを示す場合、この入力に基づいて、スピーカ装置２１０で再生するコンテンツを再選択する。こうすれば、視聴者は、コンテンツの再生が開始された後であっても、再生するコンテンツを再選択できる。また、受け付けられた入力がコンテンツを再生する再生機器２００と該再生機器２００に送信する再生データとを示す場合、この入力に基づいて、再生機器２００と該再生機器に送信する再生データとを再選択する。こうすれば、視聴者は、コンテンツが再生中であっても、コンテンツを再生する機器と、該機器に送信する再生データとを再選択できる。
【００７０】
次に、液晶テレビジョン装置１００ａがコンテンツをスピーカ装置２１０で再生する際のＤＬＮＡ接続システムの動作を説明する。図４は、第１実施形態に係るＤＬＮＡ接続システムでの音声再生動作を説明するためのシーケンス図である。なお、図４では、放送コンテンツの音声出力をスピーカ装置２１０で行い、放送コンテンツの映像出力をディスプレイ１６ａで行う場合を例に挙げて説明する。
【００７１】
まず、入力部１２が放送コンテンツの視聴を行う旨の操作入力、又は入力信号を受け付けると（Ｓ１０１）、液晶テレビジョン装置１００ａは、アンテナ１１で受信した放送信号に由来する放送コンテンツからスピーカ装置２１０用の音声データを作成する（Ｓ１０２）。
【００７２】
ＤＭＣとして機能する液晶テレビジョン装置１００ａは、スピーカ装置２１０で再生するコンテンツ及びそのプレイリストのＵＲＩ（Uniform Resource Identifier）をスピーカ装置２１０に設定するためのコマンド”SetAVTransportURI”をスピーカ装置２１０に送信し（Ｓ１０３）、さらにコンテンツの音声の再生を指示するコマンド”Ｐｌａｙ”をスピーカ装置２１０に送信する（Ｓ１０４）。なお、ＵＲＩは、コンテンツの音声データ及びそのプレイリストのリソースを示す情報である。ＵＲＩにはたとえば、ＤＬＮＡシステムにおいて音声データ及びそのプレイリストが格納されているアドレスなどが設定されている。
【００７３】
スピーカ装置２１０は、音声データの送信を要求するコマンド”GET”を液晶テレビジョン装置１００ａに送信する（Ｓ１０５）。ＤＭＳとして機能する液晶テレビジョン装置１００ａは、要求された音声データをスピーカ装置２１０に送信する（Ｓ１０６）。
【００７４】
さらに、ＤＭＣとして機能する液晶テレビジョン装置１００ａは、コンテンツの再生条件情報を示すコマンド”GetTransportInfo”をスピーカ装置２１０に送信する（Ｓ１０７）。なお、再生条件情報には、スピーカ装置２１０で再生するコンテンツの再生ステータス、再生スピードなどが設定されている。再生条件情報を受信したスピーカ装置２１０は、肯定応答を示す”RES”を液晶テレビジョン装置１００ａに送信する（Ｓ１０８）。
【００７５】
スピーカ装置２１０がコンテンツの音声再生を開始すると（Ｓ１１０）、液晶テレビジョン装置１００ａは、スピーカ装置２１０での音声出力に同期させて、放送コンテンツの映像出力をディスプレイ１６ａで行う（Ｓ１１０）。
【００７６】
液晶テレビジョン装置１００ａがコンテンツの再生開始をスピーカ装置２１０に指令した後にスピーカ装置２１０がコンテンツの音声を再生している間、ＤＭＳとして機能する液晶テレビジョン装置１００ａは、コンテンツの再生位置の取得を要求するコマンド”GetPosionInfo”をスピーカ装置２１０に送信する（Ｓ１３０）。このコマンドを受信したスピーカ装置２１０は、コンテンツの再生位置を示す”RES”を液晶テレビジョン装置１００ａに送信する（Ｓ１３１）。液晶テレビジョン装置１００ａは、受信した”RES”が示すコンテンツの再生位置に基づいて、ディスプレイ１６ａでの映像出力をスピーカ装置２１０での音声出力に同期させる。
【００７７】
以上に説明した第１実施形態によれば、液晶テレビジョン装置１００ａは、スピーカ装置２１０と接続される制御装置であって、スピーカ装置２１０で再生するコンテンツを選択する選択部１４２と、少なくともスピーカ装置２１０におけるコンテンツの再生に関する性能に基づいて、コンテンツから音声データを生成する生成部１４３と、スピーカ装置２１０に音声データを送信する通信Ｉ／Ｆ１８と、を備える構成とされる。
【００７８】
この構成によれば、液晶テレビジョン装置１００ａで選択されたコンテンツが、少なくともスピーカ装置２１０におけるコンテンツの音声再生に関する性能に基づいて生成され、液晶テレビジョン装置１００ａで選択されたスピーカ装置２１０に送信される。したがって、液晶テレビジョン装置１００ａは、スピーカ装置２１０におけるコンテンツの音声再生に関する性能に適した音声データを生成して該スピーカ装置２１０に送信できる。スピーカ装置２１０は、自身の性能に適した条件でコンテンツを再生できる。よって、視聴者がより快適にコンテンツを視聴できる環境を実現できる。
【００７９】
また、液晶テレビジョン装置１００ａをコンテンツを有して再生機器２００に送信するサーバ装置として機能させることができるとともに、スピーカ装置２１０のコントローラとしても機能させることができる。たとえば、ＤＬＮＡ（Digital Living Network Alliance：登録商標）が規定するネットワークを介した情報装置の相互接続のプロトコルにおいて、液晶テレビジョン装置１００ａをスピーカ装置２１０に対するＤＭＳ（Digital Media Server）及びＤＭＣ（Digital Media Controller）として機能させることができる。
【００８０】
また、本実施形態の液晶テレビジョン装置１００ａは、選択部はさらに、スピーカ装置２１０を選択する構成とされる。この構成によれば、コンテンツを再生する機器を選択できる。
【００８１】
また、本実施形態の液晶テレビジョン装置１００ａは、コンテンツが複数種類の音声データを含み、複数のスピーカ装置２１０でコンテンツを再生する場合、選択部１４２はさらに、各々のスピーカ装置２１０に送信する音声データを選択する構成とされる。
【００８２】
この構成によれば、コンテンツから複数種類の音声データを分離して生成できる。視聴者は、コンテンツを複数のスピーカ装置２１０で再生できる。たとえば、コンテンツが主音声データと副音声データとを含む多重音声コンテンツである場合、主音声データ及び副音声データを各々の第１外部機器に送信して再生させることができる。
【００８３】
また、本実施形態の液晶テレビジョン装置１００ａは、入力を受け付ける入力部１２をさらに備え、生成部１４３は、さらに入力部が受け付けた入力に基づいて、音声データを生成する構成とされる。
【００８４】
この構成によれば、視聴者は、コンテンツから音声データを生成する条件などを入力部１２に入力できる。たとえば、視聴者は、音声データを生成する条件として、スピーカ装置２１０で再生されるコンテンツの音声出力のダイナミックレンジ、及びビットレート（単位時間当たりに再生されるデータ量）などを入力できる。スピーカ装置２１０に送信される音声データは、スピーカ装置２１０の音声再生に関する性能に加えてさらに、上述の条件に基づいて生成される。従って、視聴者は、所望の視聴環境でコンテンツを視聴できる。
【００８５】
また、本実施形態の液晶テレビジョン装置１００ａは、入力部１２が受け付けた入力に基づいてスピーカ装置２１０を選択する選択画面ＳＣをディスプレイ１６ａに表示する表示制御部１４４をさらに備える構成とされる。
【００８６】
この構成によれば、視聴者は、表示されたＯＳＤ（On Screen Display）でスピーカ装置２１０を選択できる。
【００８７】
また、本実施形態の液晶テレビジョン装置１００ａは、表示制御部１４４は、スピーカ装置２１０と自装置（つまり液晶テレビジョン装置１００ａ）との接続に基づいて、選択画面ＳＣをディスプレイ１６ａに表示し、選択部１４２は、選択画面ＳＣにて入力部１２が受け付ける入力に基づいて、スピーカ装置２１０を選択する構成とされる。
【００８８】
この構成によれば、スピーカ装置２１０と液晶テレビジョン装置１００ａとの接続に基づいて、コンテンツを再生するスピーカ装置２１０を予め選択しておくことができる。
【００８９】
また、本実施形態の液晶テレビジョン装置１００ａは、液晶テレビジョン装置１００ａからスピーカ装置２１０への再生データの送信に基づいて、表示制御部１４４は、選択画面ＳＣをディスプレイ１６ａに表示し、選択部１４２は、選択画面ＳＣにて入力部１２が受け付ける入力に基づいて、再生データを送信するスピーカ装置２１０を選択する構成とされる。
【００９０】
この構成によれば、視聴者は、液晶テレビジョン装置１００ａからスピーカ装置２１０への再生データの送信に基づいて、所望のスピーカ装置２１０で再生できる。
【００９１】
また、本実施形態の液晶テレビジョン装置１００ａは、コンテンツの再生開始をスピーカ装置２１０に指令した後に入力部１２が再生機器２００の機器を示す入力を受け付けた場合、選択部１４２は、入力部１２が受け付けた入力に基づいて、コンテンツを再生する機器を再選択する構成とされる。
【００９２】
この構成によれば、視聴者は、コンテンツの再生が開始された後であっても、コンテンツを再生する機器を再選択できる。
【００９３】
また、本実施形態の液晶テレビジョン装置１００ａは、生成部１４３は、少なくともコンテンツの音声を再生するスピーカ装置２１０の性能に応じた音声データの生成条件に基づいて音声データを生成し、生成条件は、コンテンツの音声が再生される時のダイナミックレンジ、単位時間当たりに再生されるデータ量であるビットレート、及びデータフォーマットのうちの少なくともいずれかを含む構成とされる。
【００９４】
この構成によれば、液晶テレビジョン装置１００ａは、コンテンツの音声を再生するスピーカ装置２１０の音声再生に関する性能に適した生成条件で再生データを生成できる。従って、より快適な音声出力を視聴者に提供できる。
【００９５】
また、本実施形態の液晶テレビジョン装置１００ａは、選択部１４３で選択されるコンテンツを記憶する記憶部１３をさらに備える構成とされる。
【００９６】
この構成によれば、記憶部１３に記憶されたコンテンツをスピーカ装置２１０に送信できる。
【００９７】
＜第２実施形態＞
次に、第２実施形態について説明する。第２実施形態では、液晶テレビジョン装置１００ａが、再生機器２００、スマートフォン３００及びレコーダ４００とネットワークＮＴを介して接続される。以下では、第２実施形態において第１実施形態と異なる構成について説明する。また、第１実施形態と同様の構成部には同じ符号を付し、その説明を省略する。
【００９８】
図５は、第２実施形態に係るＤＬＮＡ接続システムの概念図である。図６は、第２実施形態に係るＤＬＮＡ接続システムの構成例を示すブロック図である。ＤＬＮＡ接続システムは、液晶テレビジョン装置１００ａと、スピーカ装置２１０を有する再生機器２００と、スマートフォン３００と、レコーダ４００と、を含んで構成されている。液晶テレビジョン装置１００ａ、再生機器２００、スマートフォン３００、及びレコーダ４００は、ネットワークＮＴに接続されている。液晶テレビジョン装置１００ａは、ネットワークＮＴを介して再生機器２００と通信可能であり、ネットワークＮＴを介してスマートフォン３００及びレコーダ４００と通信可能である。
【００９９】
スマートフォン３００は、ＤＬＮＡ規格に適合した外部制御装置であり、液晶テレビジョン装置１００ａ及びレコーダ４００に対してＤＭＣ装置として機能する。スマートフォン３００はＤＭＣ機能により、レコーダ４００が有するコンテンツ（動画コンテンツ、音声コンテンツなど）を選択し、レコーダ４００が該コンテンツを送信する機器を液晶テレビジョン装置１００ａに選択する。
【０１００】
スマートフォン３００は、図６に示すように、制御部３１と、入力部３２と、通信Ｉ／Ｆ３３と、を備える。制御部３１は、非一過性の記憶媒体（不図示）に格納されたプログラム及び制御情報などを用いて、スマートフォン３００の各構成部を制御する。入力部３２は、ユーザの操作入力を受け付け、受け付けた操作入力に基づく入力信号を制御部３１へ出力する。通信Ｉ／Ｆ３３は、ネットワークＮＴに接続された通信部であり、たとえば制御部３１から出力されるコマンドを液晶テレビジョン装置１００ａ、レコーダ４００に送信する。
【０１０１】
レコーダ４００は、ＤＬＮＡ規格に適合した外部機器であり、スマートフォン３００及び液晶テレビジョン装置１００ａに対してＤＭＳ装置として機能する。レコーダ４００は、図６に示すように、制御部４１と、ＨＤＤ（Hard Disc Drive）４２と、通信Ｉ／Ｆ４３と、を備える。制御部４１は、非一過性の記憶媒体（不図示）に格納されたプログラム及び制御情報などを用いて、レコーダ４００の各構成部を制御する。ＨＤＤ４２は、液晶ディスプレイ装置１００ａに送信可能なコンテンツを格納する大容量記憶装置である。通信Ｉ／Ｆ４３は、ネットワークＮＴに接続された通信部である。
【０１０２】
レコーダ４００は、スマートフォン３００のコマンドに応じて、液晶テレビジョン装置１００ａに送信可能なコンテンツのリストを作成してスマートフォン３００に送信する。また、レコーダ４００は、スマートフォン３００が選択したコンテンツを液晶テレビジョン装置１００ａに送信する。
【０１０３】
液晶テレビジョン装置１００ａは、スマートフォン３００及びレコーダ４００に対してはＤＭＲ装置として機能する。液晶テレビジョン装置１００ａは、スマートフォン３００がネットワークＮＴを介して送信されるコマンドに基づいて、レコーダ４００からネットワークＮＴを介して送信されたコンテンツを液晶テレビジョン装置１００ａ自身で再生できる。
【０１０４】
また、液晶テレビジョン装置１００ａは、再生機器２００に対してはＤＭＣ装置及びＤＭＳ装置として機能する。そのため、液晶テレビジョン装置１００ａは、レコーダ４００から送信されたコンテンツを再生機器２００で再生させることもできる。より具体的には、液晶テレビジョン装置１００ａは、レコーダ４００から送信されたコンテンツを記憶部１３に記憶して、選択部１４２で選択する。そして、液晶テレビジョン装置１００ａは、たとえば、少なくともスピーカ装置２１０の性能に応じて該コンテンツに基づく音声データを生成部１４３により生成するとともに、スピーカ装置２１０に送信し、スピーカ装置２１０にてコンテンツの音声を再生させることができる。
【０１０５】
なお、液晶テレビジョン装置１００ａ及び再生機器２００のうちのどちらがコンテンツを再生するかは、たとえば、液晶テレビジョン装置１００ａの選択画面ＳＣを用いて入力部１２の入力により選択できる（図３参照）。
【０１０６】
次に、スマートフォン３００で選択され且つレコーダ４００から送信されるコンテンツをスピーカ装置２１０で再生させる際のＤＬＮＡ接続システムの動作を説明する。図７は、第２実施形態に係るＤＬＮＡ接続システムでの音声再生動作を説明するためのシーケンス図である。なお、図７では、コンテンツの音声出力をスピーカ装置２１０で行い、映像出力をディスプレイ１６ａで行う場合を例に挙げて説明する。
【０１０７】
まず、スマートフォン３００は、送信可能なコンテンツの一覧を示すリスト情報の取得を要求する旨のコマンド”Browse”をレコーダ４００に送信する（Ｓ２０１）。レコーダ４００は、リスト情報をスマートフォン３００に送信する（Ｓ２０２）。スマートフォン３００は、リスト情報に基づいてコンテンツリストを作成し（Ｓ２０３）、視聴者が再生を所望するコンテンツを入力部３２の入力に基づいて選択する（Ｓ２０４）。
【０１０８】
スマートフォン３００は、選択したコンテンツのＵＲＩを液晶テレビジョン装置１００ａに設定するためのコマンド”SetAVTransportURI”を液晶テレビジョン装置１００ａに送信し（Ｓ２０５）、さらに選択したコンテンツの再生を指示するコマンド”Ｐｌａｙ”を液晶テレビジョン装置１００ａに送信する（Ｓ２０６）。
【０１０９】
液晶テレビジョン装置１００ａは、コンテンツの送信を要求するコマンド”GET”をレコーダ４００に送信する（Ｓ２０７）。レコーダ４００は、要求されたコンテンツを液晶テレビジョン装置１００ａに送信する（Ｓ２０８）。液晶テレビジョン装置１００ａは、少なくともスピーカ装置２１０の性能に基づいて、コンテンツからスピーカ装置２１０用の音声データを生成する（Ｓ２０９）。なお、Ｓ２０９において、再生データを生成する条件を示す生成条件情報をスマートフォン３００から受信している場合、液晶テレビジョン装置１００ａは、さらに該生成条件情報に基づいて音声データを生成してもよい。そして、液晶テレビジョン装置１００ａは、音声データのＵＲＩを設定する（Ｓ２１０）。
【０１１０】
次に、スピーカ装置２１０に対してＤＭＣとして機能する液晶テレビジョン装置１００ａは、スピーカ装置２１０で再生するコンテンツ及びそのプレイリストのＵＲＩをスピーカ装置２１０に設定するためのコマンド”SetAVTransportURI”をスピーカ装置２１０に送信し（Ｓ２１１）、さらにコンテンツの再生を指示するコマンド”Ｐｌａｙ”をスピーカ装置２１０に送信する（Ｓ２１２）。
【０１１１】
スピーカ装置２１０は、音声データの送信を要求するコマンド”GET”を液晶テレビジョン装置１００ａに送信する（Ｓ２１３）。スピーカ装置２１０に対してＤＭＳとして機能する液晶テレビジョン装置１００ａは、要求された音声データをスピーカ装置２１０に送信する（Ｓ２１４）。
【０１１２】
さらに、スピーカ装置２１０に対してＤＭＣとして機能する液晶テレビジョン装置１００ａは、コンテンツの再生条件情報を示すコマンド”GetTransportInfo”をスピーカ装置２１０に送信する（Ｓ２１５）。なお、再生条件情報には、たとえば、スピーカ装置２１０で再生するコンテンツの再生ステータス、再生スピードなどが設定されている。再生条件情報を受信したスピーカ装置２１０は、肯定応答を示す”RES”を液晶テレビジョン装置１００ａに送信する（Ｓ２１６）。
【０１１３】
スピーカ装置２１０がコンテンツの再生を開始すると（Ｓ２２０）、液晶テレビジョン装置１００ａは、スピーカ装置２１０での音声出力に同期させて、レコーダ４００から送信されたコンテンツの映像出力をディスプレイ１６ａで行う（Ｓ２２１）。
【０１１４】
液晶テレビジョン装置１００ａがコンテンツの再生開始をスピーカ装置２１０に指令した後にスピーカ装置２１０がコンテンツの音声を再生している間、スピーカ装置２１０に対してＤＭＳとして機能する液晶テレビジョン装置１００ａは、コンテンツの再生位置の取得を要求するコマンド”GetPosionInfo”をスピーカ装置２１０に送信する（Ｓ２３０）。このコマンドを受信したスピーカ装置２１０は、コンテンツの再生位置を示す”RES”を液晶テレビジョン装置１に送信する（Ｓ２３１）。液晶テレビジョン装置１００ａは、受信した”RES”が示すコンテンツの再生位置に基づいて、ディスプレイ１６ａでの映像出力をスピーカ装置２１０での音声出力に同期させる。
【０１１５】
以上に説明した第２実施形態によれば、液晶テレビジョン装置１００ａは、コンテンツを有して液晶テレビジョン装置１００ａに送信するレコーダ４００とさらに接続される制御装置であって、選択部１４３はさらに、レコーダ４００が送信可能なコンテンツを選択し、記憶部１３は、レコーダ４００から送信されたコンテンツを記憶する構成とされる。
【０１１６】
この構成によれば、液晶テレビジョン装置１００ａはスピーカ装置２１０で再生するコンテンツをレコーダ４００から受信できる。また、たとえば、ＤＬＮＡが規定するネットワークを介した情報装置の相互接続のプロトコルにおいて、レコーダ４００を液晶テレビジョン装置１００ａに対するＤＭＳ（Digital Media Server）として機能させることができ、液晶テレビジョン装置１００ａをレコーダ４００に対するＤＭＲ（Digital Media Render）又はＤＭＰ（Digital Media Player）として機能させることができる。
【０１１７】
また、本実施形態の液晶テレビジョン装置１００ａは、レコーダ４００が有するコンテンツを選択するスマートフォン３００とさらに接続され、スマートフォン３００により、レコーダ４００からコンテンツが送信される機器として選択される構成とされる。
【０１１８】
この構成によれば、スマートフォン３００で選択されたコンテンツがレコーダ４００から液晶テレビジョン装置１００ａに送信される。液晶テレビジョン装置１００ａは、送信されたコンテンツの音声データを生成して、スピーカ装置２１０に送信できる。また、たとえば、ＤＬＮＡが規定するネットワークを介した情報装置の相互接続のプロトコルにおいて、スマートフォン３００を液晶テレビジョン装置１００ａに対するＤＭＣ（Digital Media Controller）として機能させることができ、液晶テレビジョン装置１００ａをスマートフォン３００に対するＤＭＲ（Digital Media Renderer）として機能させることができる。
【０１１９】
また、本実施形態の液晶テレビジョン装置１００ａにおいて、通信Ｉ／Ｆ１８は、音声データを生成する条件を示す生成条件情報をスマートフォン３００から受信し、生成部１４３は、さらに生成条件情報に基づいて音声データを生成する構成とされてもよい。
【０１２０】
この構成によれば、再生データを生成する条件をスマートフォン３００で設定できる。
【０１２１】
＜第３実施形態＞
次に、第３実施形態について説明する。以下では、第３実施形態において第１及び第２実施形態と異なる構成について説明する。また、第１及び第２実施形態と同様の構成部には同じ符号を付し、その説明を省略する。
【０１２２】
図８は、第３実施形態に係るＤＬＮＡ接続システムの概念図である。図９は、第３実施形態に係るＤＬＮＡ接続システムの構成例を示すブロック図である。ＤＬＮＡ接続システムは、ＳＴＢ（Set Top Box）１００ｂと、ディスプレイ１０１と、スピーカ装置２１０及び液晶ディスプレイ２２０を有する再生機器２００と、レコーダ４００と、を含んで構成されている。ＳＴＢ１００ｂ、再生機器２００、及びレコーダ４００は、ネットワークＮＴに接続されている。
【０１２３】
ＳＴＢ１００ｂは、ネットワークＮＴを介して再生機器２００と接続される制御装置である。ＳＴＢ１００ｂは、レコーダ４００に対してＤＭＰ（Digital Media Player）装置として機能する。また、ＳＴＢ１００ｂは、再生機器２００に対してＤＭＣ装置として機能し、再生機器２００を制御する。ＳＴＢ１００ｂはＤＭＣ機能により、再生機器２００で再生するコンテンツを選択し、該コンテンツを再生する機器を再生機器２００から選択して、選択した機器でコンテンツを再生させる。たとえば、スピーカ装置２１０がコンテンツの音声を再生する機器に選択されて音声出力を行い、液晶ディスプレイ２２０がコンテンツの映像を再生する機器には選択されて映像出力を行う。また、ＳＴＢ１００ｂは、再生機器２００での再生開始、停止、早送りなどの再生動作を制御する。
【０１２４】
なお、ＳＴＢ１００ｂの主要な構成は、ディスプレイ１６ａを備えていないこと以外では、第１及び第２実施形態の液晶ディスプレイ１００ａと同様である。すなわち、ＳＴＢ１００ｂは、図９に示すように、チューナ１１と、入力部１２と、記憶部１３と、制御部１４と、デマルチプレクサ１５と、デコーダ１６と、トランスコーダ１７と、通信Ｉ／Ｆ１８と、を備える。なお、ＳＴＢ１００ｂにおけるこれらの構成要素の構成は第１及び第２実施形態と同様であるため、その説明は省略する。
【０１２５】
コンテンツの再生データ、及び再生データの送信先とする機器の選択はたとえば図１０のような選択画面ＳＣで行うことができる。なお、図１０の選択画面ＳＣを用いてコンテンツの再生データ及び再生機器を選択する構成は第１及び第２実施形態（図３参照）と同様であるため、その説明は省略する。選択画面ＳＣは液晶ディスプレイ２２０又はディスプレイ１０１に表示される。どちらに表示するかは入力部１２の入力に基づいて選択可能である。
【０１２６】
ディスプレイ１０１は、外付けでＳＴＢ１００ｂに接続された表示装置である。なお、この例示に限定されず、ディスプレイ１０１にＳＴＢ１００ｂに内蔵されていてもよい。ディスプレイ１０１は、表示制御部１４４によって制御され、ＳＴＢ１００ｂのデコーダ１６から出力された映像データに基づく表示を行う。
【０１２７】
再生機器２００は、ＳＴＢ１００ｂに対してＤＭＲ装置として機能する機器を有して構成され、図８では少なくともスピーカ装置２１０及び液晶ディスプレイ２２０を有する。スピーカ装置２１０は、ＳＴＢ１００ｂのコマンドに基づいて、コンテンツの音声を再生する音声再生機器である。音声データは、ＳＴＢ１００ｂの生成部１４３が、少なくともスピーカ装置２１０におけるコンテンツの音声再生に関する性能に基づく生成条件に応じて、選択部１４２で選択されたコンテンツをデマルチプレクサ１５及びトランスコーダ１７のうちの少なくともいずれかに出力することにより生成される。
【０１２８】
また、液晶ディスプレイ２２０は、ＳＴＢ１００ｂのコマンドに基づいて、コンテンツの映像を再生する映像再生機器である。ＳＴＢ１００ｂの生成部１４３は、たとえば、少なくとも液晶ディスプレイ２２０におけるコンテンツの映像再生に関する性能に応じた映像データの生成条件を設定する。そして、生成部１４３は、選択部１４２で選択されたコンテンツをデマルチプレクサ１５及びトランスコーダ１７のうちの少なくともいずれかに出力して映像データを生成条件に基づいて生成する。また、生成部１４３は、映像データを生成する条件の入力を入力部１２が受け付けつけた場合、液晶ディスプレイ２２０の性能と入力部１２が受け付けた条件とに応じた生成条件を設定して、該生成条件に基づいて映像データを生成する。映像データの生成条件は、たとえば、コンテンツの映像再生時の表示サイズ、解像度、単位時間当たりに再生されるデータ量であるビットレート、及びデータフォーマットなどである。こうすれば、液晶ディスプレイ２２０は、自身の性能に適した条件でコンテンツの映像を再生できる。
【０１２９】
再生機器２００は、ＳＴＢ１００ｂに対してＤＭＲ装置として機能する再生機器を含んで構成され、図８及び図９では少なくともスピーカ装置２１０と液晶ディスプレイ２２０とを含む。
【０１３０】
スピーカ装置２１０は、ＳＴＢ１００ｂのコマンドに基づいて、コンテンツを再生する音声再生機器である。コマンド及び音声データは、ＳＴＢ１００ｂからネットワークを介して送信される。スピーカ装置２１０の構成は第１及び第２実施形態（図２参照）と同様であるため、その説明は省略する。
【０１３１】
液晶ディスプレイ２２０は、ＤＬＮＡ規格に適合した映像再生機器であり、ＳＴＢ１００ｂのコマンドに基づいて、コンテンツを再生する映像再生機器である。コマンド及び映像データは、ＳＴＢ１００ｂからネットワークを介して送信される。液晶ディスプレイ２２０は、図９に示すように、制御部２２１と、通信Ｉ／Ｆ２２２と、表示部２２３と、を備える。制御部２２１は、非一過性の記憶媒体（不図示）に格納されたプログラム及び制御情報などを用いて、液晶ディスプレイ２２０の各構成部を制御する。通信Ｉ／Ｆ２２２は、ネットワークＮＴに接続された通信部である。表示部２２３は、ＳＴＢ１００ｂからネットワークＮＴを通じて受信するコマンドに基づいて、ＳＴＢ１００ｂから送信された映像データに基づく映像を表示する。
【０１３２】
レコーダ４００は、ネットワークＮＴを介してＳＴＢ１００ｂと接続されている。レコーダ４００は、ＳＴＢ１００ｂに対してＤＭＳ装置として機能する。レコーダ４００は、ＳＴＢ１００ｂのコマンドに応じて、送信可能なコンテンツのリストを作成してＳＴＢ１００ｂに送信する。また、レコーダ４００は、ＳＴＢ１００ｂで選択されたコンテンツをＳＴＢ１００ｂに送信する。なお、レコーダ４００の構成は第２実施形態（図６参照）と同様であるため、その説明は省略する。
【０１３３】
次に、ＳＴＢ１００ｂで選択され且つレコーダ４００から送信されるコンテンツを再生機器２００で再生させる際のＤＬＮＡ接続システムの動作を説明する。図１１は、第３実施形態に係るＤＬＮＡ接続システムでの再生動作を説明するためのシーケンス図である。なお、図１１では、コンテンツの音声出力をスピーカ装置２１０で行い、映像出力を液晶ディスプレイ２２０で行う場合を例に挙げて説明する。
【０１３４】
まず、ＳＴＢ１００ｂは、送信可能なコンテンツの一覧を示すリスト情報の取得を要求する旨のコマンド”Browse”をレコーダ４００に送信する（Ｓ３０１）。レコーダ４００は、リスト情報をＳＴＢ１００ｂに送信する（Ｓ３０２）。ＳＴＢ１００ｂは、リスト情報に基づいてコンテンツリストを作成し（Ｓ３０３）、視聴者が再生を所望するコンテンツを入力部１２の入力に基づいて選択する（Ｓ３０４）。この際、コンテンツの音声出力を行う音声再生機器としてスピーカ装置２１０が選択され、コンテンツの映像出力を行う映像再生機器として液晶ディスプレイ２２０が選択される。
【０１３５】
ＳＴＢ１００ｂは、コンテンツの送信を要求するコマンド”GET”をレコーダ４００に送信する（Ｓ３０５）。レコーダ４００は、要求されたコンテンツをＳＴＢ１００ｂに送信する（Ｓ３０６）。ＳＴＢ１００ｂは、レコーダ４００からコンテンツを受信し、少なくとも再生機器２００の性能に応じてコンテンツから再生データを生成する（Ｓ３０７）。すなわち、少なくともスピーカ装置２１０の性能に応じた音声データを作成し、少なくとも液晶ディスプレイ２２０の性能に応じた映像データを作成する。さらに、ＳＴＢ１００ｂは、各再生データのＵＲＩを設定する（Ｓ３０８）。
【０１３６】
次に、液晶ディスプレイ２２０に対してＤＭＣとして機能するＳＴＢ１００ｂは、液晶ディスプレイ２２０で再生するコンテンツ及びそのプレイリストのＵＲＩを液晶ディスプレイ２２０に設定するためのコマンド”SetAVTransportURI”を液晶ディスプレイ２２０に送信する（Ｓ３１０）。また、スピーカ装置２１０に対してＤＭＣとして機能するＳＴＢ１００ｂは、スピーカ装置２１０で再生するコンテンツ及びそのプレイリストのＵＲＩをスピーカ装置２１０に設定するためのコマンド”SetAVTransportURI”をスピーカ装置２１０に送信する（Ｓ３１１）。
【０１３７】
また、液晶ディスプレイ２２０に対してＤＭＣとして機能するＳＴＢ１００ｂは、コンテンツの再生を指示するコマンド”Ｐｌａｙ”を液晶ディスプレイ２２０に送信する（Ｓ３２０）。液晶ディスプレイ２２０は、映像データの送信を要求するコマンド”GET”をＳＴＢ１００ｂに送信する（Ｓ３２１）。液晶ディスプレイ２２０に対してＤＭＳとして機能するＳＴＢ１００ｂは、要求された映像データを液晶ディスプレイ２２０に送信する（Ｓ３２２）。
【０１３８】
さらに、液晶ディスプレイ２２０に対してＤＭＣとして機能するＳＴＢ１００ｂは、コンテンツの再生条件情報を示すコマンド”GetTransportInfo”を液晶ディスプレイ２２０に送信する（Ｓ３２３）。なお、再生条件情報には、たとえば、液晶ディスプレイ２２０で再生するコンテンツの再生ステータス、再生スピードなどが設定されている。再生条件情報を受信した液晶ディスプレイ２２０は、肯定応答を示す”RES”をＳＴＢ１００ｂに送信する（Ｓ３２４）。
【０１３９】
次に、スピーカ装置２１０に対してＤＭＣとして機能するＳＴＢ１００ｂは、コンテンツの再生を指示するコマンド”Ｐｌａｙ”をスピーカ装置２１０に送信する（Ｓ３３０）。スピーカ装置２１０は、音声データの送信を要求するコマンド”GET”をＳＴＢ１００ｂに送信する（Ｓ３３１）。スピーカ装置２１０に対してＤＭＳとして機能するＳＴＢ１００ｂは、要求された音声データをスピーカ装置２１０に送信する（Ｓ３３２）。
【０１４０】
さらに、スピーカ装置２１０に対してＤＭＣとして機能するＳＴＢ１００ｂは、コンテンツの再生条件情報を示すコマンド”GetTransportInfo”をスピーカ装置２１０に送信する（Ｓ３３３）。なお、再生条件情報には、たとえば、スピーカ装置２１０で再生するコンテンツの再生ステータス、再生スピードなどが設定されている。再生条件情報を受信したスピーカ装置２１０は、肯定応答を示す”RES”をＳＴＢ１００ｂに送信する（Ｓ３３４）。
【０１４１】
次に、液晶ディスプレイ２２０がコンテンツの映像再生を開始し（Ｓ３４１）、スピーカ装置２１０がコンテンツの音声再生を開始する（Ｓ３４２）。なお、Ｓ３４１及びＳ３４２において、ＳＴＢ１００ｂは、液晶ディスプレイ２２０での映像出力の開始と、スピーカ装置２１０での音声出力の開始とを同期させる。
【０１４２】
ＳＴＢ１００ｂがコンテンツの再生開始を液晶ディスプレイ２２０に指令した後に液晶ディスプレイ２２０がコンテンツの映像を再生している間、液晶ディスプレイ２２０に対してＤＭＳとして機能するＳＴＢ１００ｂは、コンテンツの再生位置の取得を要求するコマンド”GetPosionInfo”を液晶ディスプレイ２２０に送信する（Ｓ３４３）。このコマンドを受信した液晶ディスプレイ２２０は、コンテンツの再生位置を示す”RES”をＳＴＢ１００ｂに送信する（Ｓ３４４）。また、ＳＴＢ１００ｂがコンテンツの再生開始をスピーカ装置２１０に指令した後にスピーカ装置２１０がコンテンツの音声を再生している間、スピーカ装置２１０に対してＤＭＳとして機能するＳＴＢ１００ｂは、コンテンツの再生位置の取得を要求するコマンド”GetPosionInfo”をスピーカ装置２１０に送信する（Ｓ３４５）。このコマンドを受信したスピーカ装置２１０は、コンテンツの再生位置を示す”RES”をＳＴＢ１００ｂに送信する（Ｓ３４６）。ＳＴＢ１００ｂは、スピーカ装置２１０及び液晶ディスプレイ２２０から受信した”RES”が示す各再生位置に基づいて、液晶ディスプレイ２２０での映像出力とスピーカ装置２１０での音声出力とを同期させる。
【０１４３】
以上に説明した第３実施形態によれば、ＳＴＢ１００ｂは、再生機器２００と接続される制御装置であって、再生機器２００で再生するコンテンツを選択する選択部１４２と、少なくとも再生機器２００におけるコンテンツの再生に関する性能に基づいて、コンテンツから再生データを生成する生成部１４３と、再生機器２００に再生データを送信する通信Ｉ／Ｆ１８と、を備える構成とされる。
【０１４４】
この構成によれば、ＳＴＢ１００ｂで選択されたコンテンツが、少なくとも再生機器２００におけるコンテンツの再生に関する性能に基づいて生成され、ＳＴＢ１００ｂで選択された再生機器２００に送信される。したがって、ＳＴＢ１００ｂは、再生機器２００におけるコンテンツの再生に関する性能に適した再生データを生成して、該再生機器２００に送信できる。再生機器２００は、自身の性能に適した条件でコンテンツを再生できる。よって、視聴者がより快適にコンテンツを視聴できる環境を実現できる。
【０１４５】
また、ＳＴＢ１００ｂをコンテンツを有して再生機器２００に送信するサーバ装置として機能させることができるとともに、再生機器２００のコントローラとしても機能させることができる。たとえば、ＤＬＮＡ（Digital Living Network Alliance：登録商標）が規定するネットワークを介した情報装置の相互接続のプロトコルにおいて、ＳＴＢ１００ｂを再生機器２００に対するＤＭＳ（Digital Media Server）及びＤＭＣ（Digital Media Controller）として機能させることができる。
【０１４６】
また、本実施形態のＳＴＢ１００ｂによれば、選択部１４２はさらに、再生機器２００を選択する構成とされる。この構成によれば、コンテンツを再生する機器を選択できる。
【０１４７】
また、本実施形態のＳＴＢ１００ｂによれば、選択部１４２が複数の再生機器２００（すなわちスピーカ装置２１０及び液晶ディスプレイ２２０）を選択する場合、生成部１４３は、各々の再生機器２００に送信する再生データを再生機器２００毎に生成し、通信Ｉ／Ｆ１８は、再生機器２００毎に生成された再生データを各々の再生機器２００に送信する構成とされる。
【０１４８】
この構成によれば、選択されたコンテンツに基づく再生データを複数の再生機器２００（すなわちスピーカ装置２１０及び液晶ディスプレイ２２０）で再生する場合、再生データを再生機器２００毎に生成できる。たとえば、複数の再生機器２００がスピーカ装置２１０と液晶ディスプレイ２２０とを含む場合、スピーカ装置２１０には音声データを送信できる。スピーカ装置２１０は、自身の音声再生に関する性能に適した条件でコンテンツの音声を再生できる。また、液晶ディスプレイ２２０にはコンテンツの映像データを送信できる。液晶ディスプレイ２２０は、自身の映像再生に関する性能に適した条件でコンテンツの映像を再生できる。よって、視聴者は、より快適にコンテンツを視聴できる。
【０１４９】
また、本実施形態のＳＴＢ１００ｂによれば、入力部１２は、入力を受け付ける入力部１２をさらに備え、生成部１４３は、さらに入力部１２が受け付けた入力に基づいて、再生データを生成する構成とされる。
【０１５０】
この構成によれば、視聴者は、コンテンツから再生データを生成する条件を入力部１２に入力できる。たとえば、視聴者は、音声データを生成する条件として、液晶ディスプレイ２２０で再生される音声出力のダイナミックレンジ、及びビットレート（単位時間当たりに再生されるデータ量）などを入力できる。スピーカ装置２１０に送信される音声データは、スピーカ装置２１０の音声再生に関する性能に加えてさらに、上述の条件に基づいて生成される。また、視聴者は、映像データを生成する条件として、液晶ディスプレイ２２０で再生されるコンテンツの映像出力の表示サイズ、解像度、及びビットレート（単位時間当たりに再生されるデータ量）などを入力できる。液晶ディスプレイ２２０に送信される映像データは、液晶ディスプレイ２２０の映像再生に関する性能に加えてさらに、上述の条件に基づいて生成される。従って、視聴者は、所望の視聴環境でコンテンツを視聴できる。
【０１５１】
また、本実施形態のＳＴＢ１００ｂによれば、生成部１４３は、少なくともコンテンツの映像を再生する液晶ディスプレイ２２０の性能に応じた映像データの生成条件に基づいて映像データを生成し、生成条件は、コンテンツの映像が再生される時の表示サイズ、解像度、単位時間当たりに再生されるデータ量であるビットレート、及びデータフォーマットのうちの少なくともいずれかを液晶ディスプレイ２２０の性能に応じて設定する構成とされる。
【０１５２】
この構成によれば、ＳＴＢ１００ｂは、コンテンツの映像を再生する液晶ディスプレイ２２０の映像再生に関する性能に適した生成条件でコンテンツの映像データを生成できる。従って、より快適な映像出力を視聴者に提供できる。
【０１５３】
また、本実施形態のＳＴＢ１００ｂによれば、ＳＴＢ１００ｂは、コンテンツを有するレコーダ４００とさらに接続される制御装置であって、選択部１４２はさらに、レコーダ４００が送信可能なコンテンツを選択し、記憶部１３は、レコーダ４００から送信されたコンテンツを記憶する構成とされる。
【０１５４】
この構成によれば、ＳＴＢ１００ｂは再生機器２００で再生するコンテンツをレコーダ４００から受信できる。また、たとえば、ＤＬＮＡが規定するネットワークを介した情報装置の相互接続のプロトコルにおいて、レコーダ４００をＳＴＢ１００ｂに対するＤＭＳ（Digital Media Server）として機能させることができ、ＳＴＢ１００ｂをレコーダ４００に対するＤＭＲ（Digital Media Render）又はＤＭＰ（Digital Media Player）として機能させることができる。
【０１５５】
＜第４実施形態＞
次に、第４実施形態について説明する。以下では、第４実施形態において第１〜第３実施形態と異なる構成について説明する。また、第１〜第３実施形態と同様の構成部には同じ符号を付し、その説明を省略する。
【０１５６】
図１２は、第４実施形態に係るＤＬＮＡ接続システムの概念図である。図１３は、第４実施形態に係るＤＬＮＡ接続システムの構成例を示すブロック図である。ＤＬＮＡ接続システムは、ＳＴＢ１００ｂと、ディスプレイ１０１と、２つのタブレット端末装置２３０ａ、２３０ｂを有する再生機器２００と、レコーダ４００と、を含んで構成されている。ＳＴＢ１００ｂ、再生機器２００、及びレコーダ４００は、ネットワークＮＴに接続されている。
【０１５７】
ＳＴＢ１００ｂは、ネットワークＮＴを介して再生機器２００と接続される制御装置である。ＳＴＢ１００ｂは、レコーダ４００に対してＤＭＰ（Digital Media Player）装置として機能する。また、ＳＴＢ１００ｂは、再生機器２００に対してＤＭＣ装置として機能する。ＳＴＢ１００ｂはＤＭＣ機能により、コンテンツを選択し、該コンテンツを再生する機器を再生機器２００から選択して、選択した機器でコンテンツを再生する。
【０１５８】
コンテンツの再生データ、及び再生データの送信先とする機器の選択はたとえば図１４のような選択画面ＳＣで行うことができる。なお、図１４の選択画面ＳＣを用いてコンテンツの再生データ及び再生機器を選択する構成は第１〜第３実施形態（図３、図１０参照）と同様であるため、その説明は省略する。選択画面ＳＣは２つのタブレット端末装置２３０ａ、２３０ｂ又はディスプレイ１０１のいずれかに表示される。いずれに表示するかは入力部１２の入力に基づいて選択可能である。
【０１５９】
再生機器２００は、ＳＴＢ１００ｂに対してＤＭＲ装置として機能する機器を含んで構成され、図１２及び図１３では少なくとも第１タブレット端末装置２３０ａと第２タブレット端末装置２３０ｂとを含む。第１タブレット端末装置２３０ａ及び第２タブレット端末装置２３０ｂはそれぞれ、ＳＴＢ１００ｂのコマンドに応じて、コンテンツを再生する再生機器であり、少なくとも音声データ及び映像データのうちのどちらかを再生する。コマンド及び映像データは、ＳＴＢ１００ｂからネットワークを介して送信される。なお、両者には、同じ再生データが送信されてもよいし、異なる再生データが送信されてもよい。たとえば、２つのタブレット端末装置２３０ａ、２３０ｂは、同じ映像出力及び音声出力を行ってもよい。或いは、２つのタブレット端末装置２３０ａ、２３０ｂは、同じ映像出力を行うが、異なる音声出力を行ってもよい。たとえば、コンテンツが多重音声コンテンツである場合、両者のうちの一方に所定の音声データ（たとえば主音声データ）を送信し、他方に他の音声データ（たとえば副音声データ）を送信してもよい。
【０１６０】
第１タブレット端末装置２３０ａ及び第２タブレット端末装置２３０ｂは同様の構成である。従って、以下では、これらを総称する際にはタブレット端末装置２３０と呼ぶ。タブレット端末装置２３０は、図１３に示すように、制御部２３１と、通信Ｉ／Ｆ２３２と、表示部２３３と、音声出力部２３４と、を備える。制御部２３１は、非一過性の記憶媒体（不図示）に格納されたプログラム及び制御情報などを用いて、タブレット端末装置２３０の各構成部を制御する。通信Ｉ／Ｆ２３２は、ネットワークＮＴに接続された通信部である。表示部２３３は、ＳＴＢ１００ｂからネットワークＮＴを通じて受信するコマンドに基づいて、ＳＴＢ１００ｂから送信された映像データに基づく映像を表示する。音声出力部２３４は、ＳＴＢ１００ｂからネットワークＮＴを通じて受信するコマンドに基づいて、ＳＴＢ１００ｂから送信された音声データに基づく音声出力を行う。
【０１６１】
次に、ＳＴＢ１００ｂで選択され且つレコーダ４００から送信されるコンテンツを再生機器２００で再生させる際のＤＬＮＡ接続システムの動作を説明する。図１５は、第４実施形態に係るＤＬＮＡ接続システムでの再生動作を説明するためのシーケンス図である。
【０１６２】
まず、ＳＴＢ１００ｂは、送信可能なコンテンツの一覧を示すリスト情報の取得を要求する旨のコマンド”Browse”をレコーダ４００に送信する（Ｓ４０１）。レコーダ４００は、リスト情報をＳＴＢ１００ｂに送信する（Ｓ４０２）。ＳＴＢ１００ｂは、リスト情報に基づいてコンテンツリストを作成し（Ｓ４０３）、視聴者が再生を所望するコンテンツを入力部１２の入力に基づいて選択する（Ｓ４０４）。
【０１６３】
ＳＴＢ１００ｂは、コンテンツの送信を要求するコマンド”GET”をレコーダ４００に送信する（Ｓ４０５）。レコーダ４００は、要求されたコンテンツをＳＴＢ１００ｂに送信する（Ｓ４０６）。ＳＴＢ１００ｂは、レコーダ４００からコンテンツを受信し、少なくとも再生機器２００の性能に応じてコンテンツから再生データを生成する（Ｓ４０７）。たとえば、少なくとも各タブレット端末装置２３０におけるコンテンツの音声及び映像の再生に関する性能に応じて、音声データ及び映像データなどの再生データがタブレット端末装置２３０毎に作成される。さらに、ＳＴＢ１００ｂは、各再生データのＵＲＩを設定する（Ｓ４０８）。
【０１６４】
第１タブレット端末装置２３０ａに対してＤＭＣとして機能するＳＴＢ１００ｂは、第１タブレット端末装置２３０ａで再生するコンテンツ及びそのプレイリストのＵＲＩを第１タブレット端末装置２３０ａに設定するためのコマンド”SetAVTransportURI”を第１タブレット端末装置２３０ａに送信する（Ｓ４１０）。また、第２タブレット端末装置２３０ｂに対してＤＭＣとして機能するＳＴＢ１００ｂは、第２タブレット端末装置２３０ｂで再生するコンテンツ及びそのプレイリストのＵＲＩを第２タブレット端末装置２３０ｂに設定するためのコマンド”SetAVTransportURI”を第２タブレット端末装置２３０ｂに送信する（Ｓ４１１）。
【０１６５】
次に、第１タブレット端末装置２３０ａに対してＤＭＣとして機能するＳＴＢ１００ｂは、コンテンツの再生を指示するコマンド”Ｐｌａｙ”を第１タブレット端末装置２３０ａに送信する（Ｓ４２０）。第１タブレット端末装置２３０ａは、再生データの送信を要求するコマンド”GET”をＳＴＢ１００ｂに送信する（Ｓ４２１）。第１タブレット端末装置２３０ａに対してＤＭＳとして機能するＳＴＢ１００ｂは、要求された再生データ（映像データ、音声データなど）を第１タブレット端末装置２３０ａに送信する（Ｓ４２２）。
【０１６６】
さらに、第１タブレット端末装置２３０ａに対してＤＭＣとして機能するＳＴＢ１００ｂは、コンテンツの再生条件情報を示すコマンド”GetTransportInfo”を第１タブレット端末装置２３０ａに送信する（Ｓ４２３）。なお、再生条件情報には、たとえば、第１タブレット端末装置２３０ａで再生するコンテンツの再生ステータス、再生スピードなどが設定されている。再生条件情報を受信した第１タブレット端末装置２３０ａは、肯定応答を示す”RES”をＳＴＢ１００ｂに送信する（Ｓ４２４）。
【０１６７】
次に、第２タブレット端末装置２３０ｂに対してＤＭＣとして機能するＳＴＢ１００ｂは、コンテンツの再生を指示するコマンド”Ｐｌａｙ”を第２タブレット端末装置２３０ｂに送信する（Ｓ４３０）。第２タブレット端末装置２３０ｂは、再生データの送信を要求するコマンド”GET”をＳＴＢ１００ｂに送信する（Ｓ４３１）。第２タブレット端末装置２３０ｂに対してＤＭＳとして機能するＳＴＢ１００ｂは、要求された再生データ（映像データ、音声データなど）を第２タブレット端末装置２３０ｂに送信する（Ｓ４３２）。
【０１６８】
さらに、第２タブレット端末装置２３０ｂに対してＤＭＣとして機能するＳＴＢ１００ｂは、コンテンツの再生条件情報を示すコマンド”GetTransportInfo”を第２タブレット端末装置２３０ｂに送信する（Ｓ４３３）。なお、再生条件情報には、たとえば、第２タブレット端末装置２３０ｂで再生するコンテンツの再生ステータス、再生スピードなどが設定されている。再生条件情報を受信した第２タブレット端末装置２３０ｂは、肯定応答を示す”RES”をＳＴＢ１００ｂに送信する（Ｓ４３４）。
【０１６９】
次に、第１タブレット端末装置２３０ａがコンテンツの再生を開始し（Ｓ４４１）、第２タブレット端末装置２３０ｂがコンテンツの再生を開始する（Ｓ４４２）。なお、Ｓ４４１及びＳ４４２において、ＳＴＢ１００ｂは、第１タブレット端末装置２３０ａの再生開始と第２タブレット端末装置２３０ｂでの再生開始とを同期させる。
【０１７０】
ＳＴＢ１００ｂがコンテンツの再生開始を第１タブレット端末装置２３０ａに指令した後に第１タブレット端末装置２３０ａがコンテンツを再生している間、第１タブレット端末装置２３０ａに対してＤＭＳとして機能するＳＴＢ１００ｂは、各コンテンツの再生位置の取得を要求するコマンド”GetPosionInfo”を第１タブレット端末装置２３０ａに送信する（Ｓ４３３）。このコマンドを受信した第１タブレット端末装置２３０ａは、再生位置を示す”RES”をＳＴＢ１００ｂに送信する（Ｓ４３４）。
【０１７１】
また、ＳＴＢ１００ｂがコンテンツの再生開始を第２タブレット端末装置２３０ｂに指令した後に第２タブレット端末装置２３０ｂがコンテンツを再生している間、第２タブレット端末装置２３０ｂに対してＤＭＳとして機能するＳＴＢ１００ｂは、各コンテンツの再生位置の取得を要求するコマンド”GetPosionInfo”を第２タブレット端末装置２３０ｂに送信する（Ｓ４３５）。このコマンドを受信した第２タブレット端末装置２３０ｂは、再生位置を示す”RES”をＳＴＢ１００ｂに送信する（Ｓ４３６）。ＳＴＢ１００ｂは、第１タブレット端末装置２３０ａ及び第２タブレット端末装置２３０ｂから受信した”RES”が示す各再生位置に基づいて、第１タブレット端末装置２３０ａでの再生出力と第２タブレット端末装置２３０ｂでの再生出力とを同期させる。
【０１７２】
以上、本発明の実施形態について説明した。なお、上述の実施形態は例示であり、その各構成要素や各処理の組み合わせに色々な変形が可能であり、本発明の範囲にあることは当業者に理解されるところである。
【０１７３】
たとえば、上述の第１〜第４実施形態では、制御部１４の復調部１４１、選択部１４２、生成部１４３、及び表示制御部１４４は、いずれも制御部１４の機能的要素とされているが、これらの例示に限定されない。復調部１４１、選択部１４２、生成部１４３、及び表示制御部１４４のうちの少なくともいずれかは、電気回路、装置、デバイスなどの物理的な構成要素であってもよい。また、復調部１４１、選択部１４２、生成部１４３、及び表示制御部１４４のうちの少なくともいずれかは、制御部１４から独立する構成要素であってもよい。
【符号の説明】
【０１７４】
１００ａ      液晶テレビジョン装置
１００ｂ      ＳＴＢ
１１      チューナ
１１ａ      アンテナ
１２      入力部
１３      記憶部
１４      制御部
１４０      復調部
１４１      選択部
１４２      生成部
１４３      表示制御部
１５      デマルチプレクサ
１６      デコーダ
１６ａ、１０１      ディスプレイ
１７      トランスコーダ
１８      通信Ｉ／Ｆ
２００      再生機器
２１０        スピーカ装置
２１１          制御部
２１２          通信Ｉ／Ｆ
２１３          音声出力部
２２０        液晶ディスプレイ
２２１          制御部
２２２          通信Ｉ／Ｆ
２２３          表示部
２３０、２３０ａ、２３０ｂ      タブレット端末装置
２３１        通信Ｉ／Ｆ
２３２        制御部
２３３        表示部
２３４        音声出力部
３００      スマートフォン
３１          制御部
３２          入力部
３３          通信Ｉ／Ｆ
４００      レコーダ
４１          制御部
４２          ＨＤＤ
４３          通信Ｉ／Ｆ
ＮＴ      ネットワーク
ＳＣ      選択画面
ＳＣ１      ＤＭＲ選択欄
ＳＣ１ａ      選択枠
ＳＣ２      映像出力選択欄
ＳＣ３      音声出力選択欄
【図１】
2018148294.tif 000003
【図２】
2018148294.tif 000004
【図３】
2018148294.tif 000005
【図４】
2018148294.tif 000006
【図５】
2018148294.tif 000007
【図６】
2018148294.tif 000008
【図７】
2018148294.tif 000009
【図８】
2018148294.tif 000010
【図９】
2018148294.tif 000011
【図１０】
2018148294.tif 000012
【図１１】
2018148294.tif 000013
【図１２】
2018148294.tif 000014
【図１３】
2018148294.tif 000015
【図１４】
2018148294.tif 000016
【図１５】
2018148294.tif 000017